(57)【要約】地理的領域は、ビーコンのネットワークを有する。それぞれのビーコンは、ユーザの移動体通信デバイスでの受信のためのショートレンジ簡易化信号を送信する。簡易化信号は、サービスと簡易化信号とを関連付けることを開始し、及びユーザプロファイルに依存するデバイスを介してサービスをユーザに条件付で知らせる。簡易化信号とサービスとの間のユーザプロファイル及び関連付けることは、ユーザがプログラム可能である。
2004506358.tif 000002
【特許請求の範囲】
【請求項１】
移動体通信デバイスのユーザにショートレンジ無線簡易化信号を受信することを可能にする方法であって、前記無線簡易化信号は、サービスと前記簡易化信号とを関連付けることを開始し、前記デバイスを介して前記サービスをユーザプロファイルに依存して前記ユーザに条件付きで知らせる、ことを特徴とする方法。
【請求項２】
請求項１記載の方法であって、前記ユーザプロファイルは、ユーザがプログラム可能である、ことを特徴とする方法。
【請求項３】
請求項１記載の方法であって、前記関連付けることは、ユーザがプログラム可能である、ことを特徴とする方法。
【請求項４】
請求項１記載の方法であって、前記知らせることは、デバイスのディスプレイ上にテキストメッセージを生成することである、ことを特徴とする方法。
【請求項５】
請求項４記載の方法であって、前記デバイスは、後で情報検索するために前記テキストメッセージを蓄積する、ことを特徴とする方法。
【請求項６】
請求項１記載の方法であって、前記知らせることは、音声信号を生成することを含む、ことを特徴とする方法。
【請求項７】
請求項１記載の方法であって、前記簡易化信号は、前記ユーザプロファイルの制御下で処理されるための情報を含む、ことを特徴とする方法。
【請求項８】
請求項１記載の方法であって、前記簡易化信号の通信は、ブルートゥースプロトコルを使用する、ことを特徴とする方法。
【請求項９】
ショートレンジ無線簡易化信号を利用することを可能にする方法であって、前記無線簡易化信号は、エンドユーザの移動体通信デバイスによる前記信号の受信により、前記簡易化信号とサービスとを関連付けることを開始する、ことを特徴とする方法。
【請求項１０】
請求項９記載の方法であって、前記簡易化信号のタイムスロットは、前記デバイスで意味解釈可能であり、ユーザプロファイルに依存して前記エンドユーザに条件付きで知らせるデータを含む、ことを特徴とする方法。
【請求項１１】
請求項９記載の方法であって、前記可能とすることは、エンドユーザに前記移動体通信デバイスを提供することを含み、前記関連付けることは、少なくとも部分的にあらかじめプログラムされている、ことを特徴とする方法。
【請求項１２】
請求項９記載の方法であって、前記可能とすることは、前記簡易化信号を送り出すビーコンを提供することである、ことを特徴とする方法。
【請求項１３】
ショートレンジ無線簡易化信号を受信することを可能にする移動体通信デバイスであって、前記無線簡易化信号は、サービスと前記簡易化信号とを関連付けることを開始し、ユーザプロファイルに依存し、前記デバイスを介して前記サービスを前記ユーザに条件付きで知らせる、ことを特徴とするデバイス。
【請求項１４】
請求項１３記載のデバイスであって、前記ユーザプロファイルを蓄積するメモリを有する、ことを特徴とするデバイス。
【請求項１５】
請求項１４記載のデバイスであって、ＳＩＭカードを有する、ことを特徴とするデバイス。
【請求項１６】
請求項１４記載のデバイスであって、前記メモリは、少なくとも部分的にユーザがプログラム可能である、ことを特徴とするデバイス。
【請求項１７】
請求項１３記載のデバイスであって、前記信号とサービスとを関連付けるメモリを有する、ことを特徴とするデバイス。
【請求項１８】
請求項１７記載のデバイスであって、前記メモリは、少なくとも部分的にユーザがプログラム可能である、ことを特徴とするデバイス。
【請求項１９】
請求項１７記載のデバイスであって、前記メモリは、あらかじめプログラムされている、ことを特徴とするデバイス。
【請求項２０】
請求項１３記載のデバイスであって、ブルートゥース信号を受信することができる、ことを特徴とするデバイス。
【請求項２１】
コンテンツ情報を処理するＣＥ装置であって、前記装置は、移動体通信デバイスにより受信するための、前記コンテンツ情報にコンテクスト上関連付けられたショートレンジ簡易化信号を生成することができる、ことを特徴とする装置。
【請求項２２】
請求項２１記載の装置であって、前記簡易化信号は、前記簡易化信号とサービスとを関連付けることを開始し、ユーザプロファイルに依存する前記デバイスを介して前記サービスを前記ユーザに条件付きで知らせることができる、ことを特徴とする装置。
【請求項２３】
処理されるコンテクスト情報を伴うデータであって、前記データは、ユーザプロファイルに依存し、前記デバイスを介してサービスを移動体通信デバイスのユーザに条件付きで知らせることができるための、前記コンテンツ情報にコンテクスト上で関連付けられる簡易化信号を生成することができる、ことを特徴とするデータ。
【発明の詳細な説明】
【０００１】
【発明の属する技術分野】
本発明は、電子機器のユーザに提供されるサービスに関し、特に、移動体電話のような移動体デバイスのユーザのためのサービスに関する。
【０００２】
【従来の技術】
現在のトレンドでは、２００２年までに移動体電話の加入者が世界中で１０億になることを示す。２００４年までに、ＰＣの使用より移動体電話の使用が多くなり、これらの移動体電話のかなりの割合がウェブ可能となるであろう。さらに、セルラー電話は、パーソナルで信頼されたデバイスになった。その結果、移動体情報社会が発達している。パーソナル及びローカルなサービスは、ますます重要になると思われている。
【０００３】
例えば、米国特許５，８３５，８６１は、広告掲示板のコンテクスト内での無線電話の使用を開示する。この内容はここに含めておく。無線電話のユーザは、無線電話を稼動させることにより売り手の電話番号を得て、稼動している広告ソースにプロンプト信号を送信し、広告売り手の電話番号を含む応答信号を広告ソースから受信する。それから、電話番号は、公衆交換電話ネットワークを介してその売り手にコールを自動的に出すために使用され得る。あるいは、電話番号は、後で使用するために蓄積され得る。この構成は、電話番号を覚えるかそれを書き写す必要なしに、売り手にコールを出すために使用され得る。掲示板と発呼者との間の信号は、変調された赤外線（ＩＲ）信号又は無線周波数（ＲＦ）信号として送信され得る。
【０００４】
他の例として、文献”Ｉｍｐｕｌｓｅ： Ｌｏｃａｔｉｏｎ−ｂａｓｅｄ Ａｇｅｎｔ Ａｓｓｉｓｔａｎｃｅ”， Ｊｉｍ Ｙｏｕｌｌ， Ｊｏａｎ Ｍｏｒｒｉｓ， Ｒａｆｆｉ Ｋｒｉｋｏｒｉａｎ ａｎｄ Ｐａｔｔｉｅ Ｍａｅｓ， ＭＩＴ Ｍｅｄｉａ Ｌａｂ， Ｄｅｃ． １９９９は、ソフトウェアエージェントによりサポートされる位置に基づいた演算処理についての研究開発プロジェクトを論じている。ユーザは、例えば、無線インターネット接続及びＧＰＳ受信器を備えたＰＤＡなどの移動体演算機器を有する。”ユーザエージェント”は、ユーザの関心を表し、ユーザの物理ドメインにおけるビジネス、サービス、アトラクション、イベントのような物理リソースであるプロバイダを表す”プロバイダエージェント”と対話する。このリソースは、インターネット上の存在（ＵＲＬ）を有し、特定のサーバに登録される。特定のサーバは、ユーザエージェントに、ユーザの地理的周辺における特定のリソースを照会させる。ユーザエージェントは、ユーザにより前もって機器に入力されたキーワードにより表される目的のリストの形でユーザからそのタスクを受信する。ユーザエージェントは、ユーザプロファイルを作るため並びにサーバ及びプロバイダエージェントに対する照会を作るためにこれらのデータを使用する。サーバは、照会における主な基準として、ＧＰＳ受信器を介して決定されたユーザの地理的位置を用いる。結果が発見されると、サーバは、それぞれのプロバイダのサービスの地理的位置を含むＸＭＬドキュメントとそれぞれのプロバイダエージェントにどのように照会するかの記述とを戻す。到達可能なプロバイダを決定した後に、ユーザエージェントは、適当なものを選択し、直接の照会をそれ又はそれらに送る。後者は、提供されたＵＲＬでドキュメントを読むことを通じて達成される。この検討により、ユーザは、可能性の有る一致したものを知らせられる。
【０００５】
さらに他の例として、ヒューレットパッカードは、”Ｃｏｏｌｔｏｗｎ”プロジェクトについてウェブ上の＜ｈｔｔｐ／／ｗｗｗ．ｃｏｏｌｔｏｗｎ．ｈｐ．ｃｏｍ／ｐａｐｅｒｓ／ｗｅｂｐｒｅｓ／ＷｅｂＰｒｅｓｅｎｃｅ．ｈｔｍ＞で刊行物を掲示した。ウェブ技術、無線ネットワーク及びポータブルクライアントデバイスの集中化は、コンピュータ／通信システムに対する設計の自由度を与える。ＨＰ研究所の”Ｃｏｏｌｔｏｗｎ”プロジェクトにおいて、これらの自由度は、人々、場所、及びオブジェクトに対するウェブの存在をサポートするためのインフラを介して考察された。ウェブサーバはプリンタのようなオブジェクトを置き、情報は、さし絵のようなオブジェクトについてのウェブサーバ上に蓄積される。物理的に関連するオブジェクトは、ウェブサーバに具現化された場所に分類される。位置が認識されているシステムは、アドレス指定用のＵＲＬ、発見のための物理ＵＲＬのビーコン発信及びＵＲＬの検知、並びにディレクトリのために配置されたウェブサーバを用いて生成され得る。そのシステムは、遊動のユーザをサポートするためにどこでも見られる状態である。このインフラに加えて、インターネット接続は、通信サービスをサポートするために活用され得る。ウェブの存在は、ワールドワイドウェブ（Ｗｏｒｌｄ Ｗｉｄｅ Ｗｅｂ）及びユーザにより住まれた物理世界を橋かけし、セントラル制御ポイントなしに遊動のユーザをサポートするモデルを提供する。
【０００６】
Ｃｏｏｌｔｏｗｎ博物館及びＣｏｏｌｔｏｗｎ書店は、訪問客にウェブを強化した経験を提供する。訪問客が博物館を巡回するとき、彼らのポータブル情報端末（ＰＤＡ）は、無線「ビーコン」からウェブＵＲＬを受け取ることができる。これらのビーコンは、絵画又は彫刻の近くに位置する小さい赤外線トランシーバである。ＵＲＬは、品目について情報のウェブにリンクする。ＰＤＡのウェブブラウザを用いると、訪問客は、芸術家やその作品について及び博物館における関連する芸術作品について読んだり聞いたりすることができる。ＵＲＬは、また、さらに勉強するためにブックマークとして蓄積され得るか、ＵＲＬは、博物館のオンラインストアから芸術作品の複製品を選択するために使用され得る。博物館のスタッフは、ウェブの存在のオブジェクトポイントに対するＵＲＬポイントと同じ目録管理を用いる。
【０００７】
【課題を解決するための手段】
本発明者らは、上記で議論されたシステムがいくつかの欠点を有することを理解した。
【０００８】
上述した米国特許５，８３５，８６１のシステムは、柔軟性やユーザフレンドリーの点で欠けている。ユーザ自身は、掲示板間の対話を始めなければならない。また、システムの機能が、報知された掲示板、その地理的位置、及び売り手の電話番号の間での一対一の関係に制限される。すなわち、エンドユーザにより得られた情報は、特定の電話番号のみである。多くの掲示板からこのように集められた多数の電話番号間でエンドユーザがどのように区別するかについて、米国特許５，８３５，８６１からは不明確である。ユーザのコーラーＩＤは、掲示板により受信され処理され得る。これにより、プライバシーが危うくなるかもしれない。通信は掲示板に関してユーザの方向から独立しており、それは、ある範囲内で２つ又はそれ以上の掲示板を持つことを排除することに注意する。
【０００９】
Ｉｍｐｕｌｓｅシステムは、ユーザの位置を決定するためにＧＰＳ機能を必要とする。インターネットアクセス能力は、クライアント−サーバアーキテクチャーにおいて、ソフトウェアエージェント間での通信のために必要である。Ｉｍｐｕｌｓｅシステムにおいて、ユーザエージェントは、すべてユーザにより始められるものである。ユーザは、プロバイダーエージェントと、プロバイダーエージェント及びユーザエージェント間のネゴシエーションとに対する制御があったとしても少ない。プロバイダエージェントの使用は、ユーザに対するプライバシーの欠如を意味する。
【００１０】
Ｃｏｏｌｔｏｗｎシステムは、報知されたＵＲＬによって示されるウェブページ内のナビゲーションを可能にするために、十分なウェブブラウザとディスプレイ能力を必要とする。それに加えて、ユーザは、関連するウェブページのコンテンツ情報がユーザに関連するかどうかについて前もって知ることなくＵＲＬに晒される。また、進行中の間、ユーザは、ウェブページを閲覧することができるようにクライアントのデバイスを常につけたままにしていなければならない。
【００１１】
したがって、本発明の目的は、上記で議論したシステムよりもユーザフレンドリーであり、より多くのプライバシーを提供し、よりフレキシブルである方法とシステムを提供することである。
【００１２】
このために、本発明は、移動体通信デバイスのユーザに、デバイス上でショートレンジ無線簡易化（ｆａｃｉｌｉｔａｔｉｏｎ）信号を受信することを可能にする方法を提供する。ビーコンはその簡易化信号を送信する。ユーザのデバイスがビーコンの範囲内であるとき、簡易化信号は、簡易化信号をサービスと関連付けることを始める。その開始は、好ましくは移動体デバイスに蓄積されたユーザプロファイルに依存して、条件付きでユーザにサービスを知らせることになる。したがって、ユーザは、ユーザプロファイルにより示されるようにユーザに関心のあるサービスについての情報だけを得ることができる。簡易化信号と関連するサービスがユーザプロファイルと一致するならば、デバイスを介して、例えば通信デバイスのディスプレイに生成されるテキストメッセージを介して、ユーザはサービスを知らされる。サービスがプロファイルと一致しないならば、デバイスはユーザに知らせない。
【００１３】
知らせるためのテキストメッセージは、ページング又はＳＭＳ（Ｓｈｏｒｔ Ｍｅｓｓａｇｅ Ｓｅｒｖｉｃｅ）と同様の態様で生成され得る。ＳＭＳは、ＧＳＭ通信を使用し、移動体電話に１６０文字までのテキストメッセージの送信を許す。好ましくは、サービスがユーザプロファイルと一致するならば、ユーザが、音声信号を通して知らされるように、ユーザは、デバイスをプログラムすることができる。このように、ユーザは、いつも移動体通信デバイスに注目する必要はない。好ましくは、デバイスは、後での検索のために、このように受信された簡易化信号及び／又はメッセージを蓄積することができる。例えば、ページャなどから既知であるように、移動体通信デバイスの視覚警告やその通信デバイスにおける振動ユニットを介する触覚警告などの、ユーザに知らせる他のメカニズムが使用され得る。したがって、知らせることは、触覚的（振動）、テキスト、視覚的又は聴覚的になり得る。異なる様式、例えば、大きさ又はスタイルが、現在のユーザのコンテクストの範囲内で異なるプライオリティに対して使用され得る。ユーザによるコンテクスト（フィルタ）選択は、どんな可能性が知らされるのであるかということと同様に、どんな知らせの様式でも良く調整し得る。
【００１４】
ＩｒＤＡ、ブルートゥース、及びホームＲＦのような無線ＰＡＮ／ＬＡＮネットワークプロトコルが現れることは、移動体デバイスが、ホームネットワーク、オフィスネットワーク又はコミュニティネットワークの動的なパートになることを可能にする。特に、例えば、ブルートゥース互換のハードウェア及びソフトウェアを備える移動体電話は、ローカルデバイス及び／又はローカルサービスと直接通信することができる。一般に、それぞれのネットワークコンポーネントは、サービス提供ポイント（ＳＯＰ）となり得る。ネットワークは、例えば、ショッピングモール、ストリート、空港、ローカルタウンネットワーク、又はコミュニティネットワークなどのような公衆の場所におけるホームネットワーク、オフィスネットワーク、又はコンポーネントのインフラを含む。それぞれのコンポーネントは、コンポーネントで提供され若しくは表され又はネットワークと関連する情報コンテンツ若しくはサービスに関するメタデータに関連付けられた簡易化信号を送信又は報知するビーコンを有する。ビーコンの範囲は、通常ブルートゥースと同様にショートレンジである。
【００１５】
好ましくは、ユーザプロファイルは、ユーザがプログラム可能である。ユーザは、例えば、友人とショッピングし、連絡し、チャットし、伝言したり、スポーツや共同活動などのような特別な関心のような、多くの行動モードの一つ（又はそれ以上）にユーザの通信デバイスを設定することができる。ユーザは、ユーザがコンテクストや環境に依存して選択することができる多数のプロファイルを有し得る。ユーザは、例えば、話題やディスカウントなどで発売中であるならば関心を持つ、などにより、例えば本、ＣＤ、ＤＶＤ、旅行準備、用具などの特定の関心を有するようなショッピングモードを特定することができる。それから、このショッピング行動に関連する簡易化信号は、特定の手近なサービス又は商品をユーザに知らせる。連絡モードは、他の人々により配信され、簡易化信号により運ばれるか照会されるメッセージに頼る。メッセージ又は送信者のグループが現在のユーザプロファイルと一致する、すなわち、フィルタで外されないならば、ユーザはメッセージを知る。配信されるメッセージは、例えば、人が売ったり買ったりしたい物に関する個人による仮想広告であったり、又はチャットモードにおいて他の人と出会うための仮想アナウンスである。このように配信されるメッセージは、「仮想グラフィティ（Ｖｉｒｔｕａｌ Ｇｒａｆｆｉｔｉ）」と呼ばれて、テキスト及び／又は音声を含み得る。特別な関心モードにおいて、ユーザは、移動体通信デバイスを、特別な関心に関連があるサービスに影響し易くさせる。例えば、特定の領域の歴史的に、地質学上の、建築学的に、流行的に関心のある地区は、関係のあるサイト又はそれらの背景情報に関する簡易化信号を報知するビーコンのネットワークを有する。ユーザがユーザのプロファイルをプログラムしたならば、それにしたがって、関係ビーコンの範囲内でローミングする間、「歴史的」、「建築上」、「流行的」などに分類された簡易化信号は、ユーザに、関係サイトや関連ローカルサービスを知らせる。
【００１６】
ユーザは、ユーザのセットからコンテクストフィルタを意識的に選択しても良い。選択は、また初期設定のプロセスを通じて行われ得る。例えば、電話を含むタグを付けたポーチがその初期設定のコンテクストを設定する、又は、例えば、ユーザがある場所に入るように、ユーザは、一つのユーザのフィルタの選択を自動的に始動させることを環境にさせても良い。
【００１７】
好ましくは、簡易化信号とサービスとの間の関連はユーザがプログラム可能である。すなわち、ユーザは、特定のタイプの簡易化信号とユーザ自身の選択の特定のサービスプロバイダとの間の関連をプログラムすることができる。それゆえに、本発明のタイトル「ポータブルミクロポータル」となる。ローカル又はパーソナルのエリアのＳＯＰと通信する間、本発明は、移動体デバイスのユーザに、外部サーバとの個人専用の関係を増強することができる。移動体デバイスは、ＳＯＰからの情報を受信し、この情報と関連付けられた少なくとも一つの行動タイプを決定し、サービスプロバイダとの個人的関係のタイプに基づく検索を実行し、行動タイプやサービスプロバイダと関連付けられた外部サーバ又は広域ネットワークの電話番号にアクセスする。
【００１８】
本発明は、プライバシー及びユーザ制御を維持するが、なおかつプッシュ技術を容易にする。すなわち、ユーザは、システムに対して匿名の状態にし、すべての可能な知らせを受信し、一致させるためのユーザ自身のポータルにおけるコンテクストフィルタを有するか又は将来の検査のために記録された一致するものを有する。おそらく、ミクロポータルは、コンテクストフィルタを改良するように、ユーザの承認及び異なるコンテクスト内での知らせの不知に適応し及び学習し得る。
【００１９】
本発明は、実施例の態様により、及び添付図面を参照して、より詳細に説明されるであろう。
【００２０】
【発明の実施の形態】
図面全体で、同じ参照番号は同様又は対応する形態を示す。
【００２１】
本発明は、上述のようなサービス提供ポイント（ＳＯＰ）と対話するための、移動体電話のようなパーソナルの、信頼された移動体通信デバイスの使用に関する。いくつかの態様は、ＳＯＰになり得る数と移動体ユーザに供給し得る種々の情報アイテムとから考慮されるに値する。最初の態様は、ポータブルデバイスの制限されたユーザインターフェース（ＵＩ）能力に関する。例えば、移動体電話のＬＣＤのサイズは、しばしばテキスト情報又はグラフィック情報の有意量を表示するのに十分に大きくない。ユーザの入力は、しばしばデバイスの数字入力（仮想）キーパッド及び／又は音声認識能力で制限される。他の態様は、低域幅の無線チャネル及び電源保存要求のような技術的制限に関連する。無線送信データは圧縮されなければならない。これは、典型的に移動体デバイスに付加的な処理能力を必要とする。又は、圧縮及び伸長処理を容易にするために、多くの情報が第三者サーバと交換される。さらに他の態様は、起こり得るプライバシーの損失に関する。例えば、ユーザは、多数の勝手に送りつけられる広告メッセージにより攻撃されるかもしれない。このようにして、騒々しい情報の環境が生じる。ＳＯＰと通信するとき、クレジットカード番号、買い物の習慣、個人の好みなどのようなユーザの個人情報が晒されるようになり得る。
【００２２】
これら及び他の観点を考慮して、本発明の目的は、セルラー電話のようなパーソナルの信頼された移動体電話に価値を加える、移動体ユーザのために多種多様なパーソナルサービスを提供することを可能にすることである。ローカル又はパーソナルエリアのＳＯＰと通信する間、本発明は、移動体デバイスのユーザに、外部サーバと個人専用の関係を活用することを可能にする。移動体デバイスは、ＳＯＰから簡易化信号の形で情報を受信し、この情報と関連付けられた少なくとも一つの行動タイプを決定し、個人的関係のタイプに基づく検索を実行し、行動タイプに関連付けられた外部サーバにアクセスする。
【００２３】
例えば、ホームネットワークでのＤＶＤプレーヤーは、ＤＶＤから特定の映画を最後まで上演する。ＤＶＤプレーヤーは、映画、映画スター、同じ又は同様のカテゴリーの映画、関連した商品（本、Ｔシャツ、映画など）についての情報と関連付けられた簡易化信号を送り出すビーコンを有する。簡易化信号は、例えばＤＶＤそれ自身で符号化される。ユーザは、例えば、単純なページング又はＳＭＳテキストファイルとして、ユーザのブルートゥースを備えたセルラー電話で、この簡易化信号を受信する。ユーザは、それから、セルラー電話を介して付加的な情報を要求する、セルラー電話を介していくつかの提供物を買う、セルラー電話を介してコンテンツについて友人とチャットをする、ことを選択する。
【００２４】
他の例において、テレビセット又はセットトップボックスは、ショートレンジ信号のためのビーコンを備えている。テレビ放送は、現在放送されるプログラムに関係する本やＣＤを得る可能性のユーザにユーザ移動体デバイスを介して知らせることができるメタデータを含む簡易化信号により又はその信号の生成の制御により達成される。ユーザは、例えば、現在のテレビプログラムのコンテンツと関連付けられたアイテムのために、ユーザ自身の好ましい売り手サービスに対する購入同意からリンクの分解能の制御を有することを欲し得る。
【００２５】
他の例として、テレビ、Ｔｉｖｏ ＨＤＤボックス、セットトップボックス、ＰＣなどのコンテンツのプレイ又は蓄積デバイスは、ショートレンジビーコンを通してユーザの移動体通信デバイスと通信する。通信信号は、人気があるテレビクイズ番組に関するメタデータを含む。メタデータは、ユーザに、クイズ問題、問題の一部若しくはその派生、及び／又は多数の選択応答オプションを受信することを可能にする。デバイスが「サーチ」モードに設定されるとき、好ましい情報源、例えば、ｗｗｗ．ａｓｋｊ．ｃｏｍにわたるサーチに対する照会としてクイズ質問情報を使う。「プレイ」モードのとき、デバイスは、ユーザに、ライブ聴衆参加者、プレーヤー、アドバイザーなどと同じ方法で、ユーザの寄与を加えることを可能にする。したがって、ビーコン、簡易化信号、及び移動体デバイスを用いる上演デバイスの組み合わせは、ユーザの好ましい情報源を使用するクイズ放送にユーザを参加させる。
【００２６】
他の例において、Ｎａｐｓｔｅｒ（ｗｗｗ．ｎａｐｓｔｅｒ．ｃｏｍ）のようなコンテンツ共有システムは、無線ビーコンを通してミクロポータルと通信することを可能にする。例えば、他のユーザがユーザのローカルシステムから特定のコンテンツアイテムをダウンロードしているとき、ユーザはユーザに通知するためのシステムを構成することができる。ビーコンは、それからアップロードされたコンテンツと他のユーザとに関する情報を送り出すことができる。「チャット」モードに入ったとき、ミクロポータルは、コンテンツに関する話題を議論するために、最初のユーザに、音声及び／又は電子チャットを始めることを可能にする。
【００２７】
さらに他の例において、小売店、スーパーマーケット、ダウンタウンのショッピング通り、又はショッピングモールが、ビーコンのネットワークを有する。ビーコンのそれぞれの特定の一つは、特定の地理的位置と関連し、例えばユーザの関心のあり得る現在の販売上のアイテムのような情報を有する簡易化信号を送信する。その情報に基づいて、ユーザは、服を試着する、本を注文する、ＣＤを聞くなどのために、ある店で立ち止まって選択しても良い。同様の機能は、ショートレンジの通信が可能なＰＤＡを使用することにより達成され得る。
【００２８】
特定のモードにおいて、ユーザは、ユーザの電話で特定のコンテクストフィルタを起動させる又は選択することを望み得る。それは、より多くの情報又はチャットを提供するサービスのためよりむしろショッピングのための接続可能性をユーザにまさに知らせる。本発明は、コンテクストフィルタを用いるミクロポータルネゴシエーション及び検索テーブルを用いるサービス分析のプロセスに関する。両方のプロセスは、ハンドセットとユーザ自身又は信頼された中継ウェブサイトをわたっておそらく配信される。
【００２９】
図１は、本発明の一態様を示すシステム１００のブロック図である。システム１００は、移動体デバイス１０８、例えば移動体電話により受信された簡易化信号１０６を送信するビーコン１０４を備えるサービス提供ポイント（ＳＯＰ）１０２を有する。この例では、デバイス１０８は、好適なユーザインターフェースを通してユーザにより入力された現在の関心又は行動モードを示すユーザプロファイル１１０を蓄積する。信号１０６は、デバイス１０８により解釈され、それはプロファイル１１０と照合される。プロファイル１１０に示されるように、信号１０６がユーザの現在関心のあるサービスを表すならば、ユーザはＬＣＤディスプレイ１１２上で生成されるテキストメッセージを通してこのサービスを知らされる。デバイス１０８は、ユーザにより又はユーザの制御下で少なくとも部分的にプログラムされた行動検索テーブル１１４を有する。現在のサービスと関連付けられた行動は、デバイス１０８を介してユーザにより始められることになっていて、行動タイプに関連付けられ及び検索テーブルにプログラムされるようにユーザにより前もって選ばれた外部サーバ１１６、例えば広域ネットワークサーバにアクセスすることを含む。サーバ１１６にアクセスすることは、サービス要求１１８を送り出すことを含む。この例では、ＳＯＰ１０２及びサーバ１１６は、直接接続することがなく、それにより知らせの際のフォローアップのプライバシー及び十分なユーザ管理を保護することに注意すべきである。
【００３０】
より詳細に上記のことを図示するために、ユーザがＤＶＤプレーヤー１０２により上映する映画を見ている例を考える。ＤＶＤプレーヤーは、例えば、脚本のために使用された本について、ＸＭＬフォーマットにおける情報を有する簡易化信号１０６を送り出す。この本情報は、ユーザの移動体デバイス１０８により処理される。簡易化信号の関連は、プロファイル１１０により決定され、もし関連が見つかれば、行動タイプは、例えばテーブル１１０を通じて「本を買う」というように決定される。ユーザは、特定の外部の本を売るインターネットサービス１１６でアカウントを起こす。アカウント情報は、移動体デバイス１０８にすでに蓄積されて、「本を買う」動作タイプと関連付けられている。移動体デバイス１０８は、あらかじめ規定されたＵＲＬを用いてウェブマーチャント１１６にアクセスし、本のために利用できるサーチを要求する。検索が完全なとき、その結果は購入承認を受信するためにユーザの移動体デバイス１０８に提供される。ユーザは、本を買うことを選んでも良く、情報を無視しても良い。例示するように、ユーザは情報の流れを超えて十分な制御を有する。また、提供されるサービスの料金が電話料金請求書に合わされ得るように、移動体電話に対する請求書システムがすでに適したものである点に注意すべきである。
【００３１】
図２は、本発明の操作可能な態様を示す図である。簡易化信号１０６は、デバイス１０８により受信され、フィルタ／マッチングプロセス２０４におけるコンテクスト２０２にマッピングされる。コンテクスト２０２は、例えば、地理的位置、ユーザの行動（例えば、仕事、ショッピング、在宅、友人と外出、出張）、ユーザの関心（例えば、自然研究、オートバイ、セイリング、ビール、日中の時間など）に依存する。コンテクスト２０２は、この例では、主観的でユーザがプログラム可能な条件のサブセットとして、一つ又はそれ以上のユーザプロファイル１１０を含む。コンテクストは、行動と位置と同様に、ユーザの目的又は意図と一致し得る。”時間”の量は目的の概念である。コンテクストの切り替えは、ユーザ対話、例えば受け台又は電話カバーからデバイス１０８を外すことに対応して明確になり得、タイマ、スケジューラ又はカレンダにより与えられることで潜在的になり得る。外部サービスプロバイダによる通信は、フィルタマッチングプロセス２０４の結果に依存するプロセス２０６において条件付きで可能である。一致するならば、関連する外部サービスプロバイダは、インターネット又は他のデータネットワークに対するパーソナルポータル２０８における検索テーブル１１４で決定される。
【００３２】
ユーザは、異なるコンテクストのために備えられた多くのプロファイルを有し得る。ユーザは、プロセス２０４、例えば「買い物」において使用されるプロファイルを明示的に選択し得るか又は、環境や一日の時間からの信号（例えば、カレンダへの機能的な接続）により任意的にトリガとなるユーザのプロファイルの一つを有し得る。さらに、環境（又はネットワークセル）は、同意しているユーザに対して、地理的なエリアで入手できるビーコン上で可能な信号のクラスのトップレベルの構造（又は案内）を移動体電話にダウンロードし得る。例えば、ショッピングモールに入ると、ユーザは、そのような案内をダウンロードするようになる。案内は、種々の喫茶店、店、娯楽、ユーティリティサービスなどのためのビーコン関連サービスの指示を含む。このダウンロードは、ユーザの移動体デバイスが対話できるようなネゴシエーションの及び知らせの構造化を高めるであろう。ダウンロード時間に、受け入れられるサービスのクラスのユーザのプレフィルタリングは、また、例えば、そのエリアにおいて特定のビーコンを感知するだけであるために行われ得、他に行動している不必要なサービスクラスを無視し得る。階層的なビーコン構成は、地理的位置のために備えられ得る。これは、ビーコンインフラのより複雑な配列に通じ得る。
【００３３】
フィルターマッチングプロセス２０４及びポータル行動テーブル２０８／１１４がデバイス１０８全体、ここでは例として移動体電話において実行され得る。あるいは、これらのプロセスは、遠隔で信頼されたサーバ上で又は分散型のサーバにおいて行われ得る。一致のトップレベルの細目は、サーバを介して知らせを提供するハンドセット及びより細かい細目で迅速に行われる。
【００３４】
図３は、システム１００における情報のルーティングのサポートのためのデータフォーマットの第１の例を示す図である。行動タイプの決定は、例えば、直接検索により行われ得る。この場合において、簡易化信号１０６は、それぞれの行動タイプが、例えばアルファベットＩＤ３０２と関連付けられたあらかじめ規定された値を有するように、フォーマットされたデータを含む。移動体デバイス１０８は、そのサービス検索テーブル１１０における入力の位置を示すためにＩＤを使用する。情報フィールド値は、例えば、出版社名、本のタイトル、著者名又はＩＳＢＮ番号などを表す。情報フィールド値を用いた検索の結果を合成することでサービス要求を構成する。検索サービスは、また、情報フィールドを合成するルールを含む。例えば、サービスＵＲＬ３０８が＜ｗｗｗ．ａｍａｚｏｎ．ｃｏｍ／ ｅｘｅｃ ／ｏｂｉｄｏｓ／＞で、フィールド１　３０４とフィールド２　３０６が著者名で構成される＜ｗｗｗ．ａｍａｚｏｎ．ｃｏｍ／ｅｘｅｃ／ｏｂｉｄｏｓ／Ａｕｔｈｏｒ＝Ｂｅｔｔｅｌｈｅｉｍ％２Ｃ％２０／Ｂｒｕｎｏ１１８である。
【００３５】
図４は、本発明のシステム４００の図である。システム４００は、例えば、店、ショピングモール、テーマパークなど用のインフラの実施を示す。システム４００は、その現場のサービスを配信する複数のビーコン４０２，４０４，４０６，…，４０８を含む。それぞれのビーコン４０２−４０８は、以下に説明するようなタイムスロットフォーマットで一つ又はそれ以上のショートレンジ簡易化信号を報知する。ビーコン４０２−４０８は、ビーコンインフラサーバ（ＢＩＳ）４１０により制御される。一つ又はそれ以上のターミナル４１２，４１４，４１６，…，４１８は、サーバ４１０に接続されている。ターミナル４１２−４１８は、サービスプロバイダ、すなわちビーコン４０２−４０８のユーザに、ビーコン４０２−４０８により送信された簡易化信号における割り当てられたサービススロットを作成及び編集することを可能にする。サービスプロバイダは、インフラプロバイダからのビーコンサービススロットの一つをリースし得る。このため、サーバ４１０は、ターミナル４１２−４１８の一つを介して、例えば、サービスプロバイダ著者により所定の事項が書き込まれるための簡単なＨＴＭＬテンプレートを提供する。例えば、サービススロットにおいて晒されたデータのためのサービス及び他の情報の記述を有するテンプレートに書き込まれると、テンプレートは、好ましくは安全な回線を介して、例えばＳ（ｓｅｃｕｒｅ）−ＨＴＴＰ又はｓｅｃｕｒｅソケットレイヤ（ＳＳＬ）を用いてサーバ４１０に返される。ＳＳＬは、クライアントとサーバとの間の安全な回線を生成する。その回線は、どんな量のデータでも安全に送られ得る。Ｓ−ＨＴＴＰは、個々のメッセージを安全に送るように設計される。サーバ４１０は、その後、テンプレートを備えて提出されたデータに基づくビーコン４０２−４０８の関連する一つの簡易化信号に対する適切なサービススロットを生成する。システム４００は、以下に説明するようなマッチングプロセス２０４を行う際にアシストするためのアプリケーションサーバ４２０をさらに有しても良い。
【００３６】
図５は、タイムスロット５０２，５０４，５０６，５０８，５１０，及び５１２を有するサービススロット５００の例を与える。スロット５０２はビーコンＩＤを有する。スロット５０４は、サービスプロバイダの名前や識別子を有する。スロット５０６は、提供されたサービス、例えば、本、旅行、品物の在庫、音楽、娯楽などのクラスの指標又は表示を有する。スロット５０８は、オプションとしてサービスについてのさらなる細目を含む。スロット５１０は、提供されたサービス品質（ＱｏＳ）を示すデータを含む。スロット５１２は、サービスサプライアにアクセスするための接続ポインタを有する。接続ポインタは、ポインタタイプ（例えば、ＳＭＳ、課金電話−＃、ＵＲＬ）によりあらかじめ付けられ得る。あるサービスは、サービス接続を動作させるために移動体に対する他のポインタを有しても良い。サービスの種々の品質は、同じサービスプロバイダ、例えば、ＳＭＳ、音声対話、ＧＰＲＳ、ＷＡＰなどによりサポートされ得る。これらは、また、ユーザの好み、移動体プラットフォームオプション、及びコスト選択と一致させるべきである。
【００３７】
ネゴシエーションプロセスは、選択したサービス品質ＱｏＳとサービス動作前のサービスクラスのプロファイル及び適合性間との一致を探すために行っても良い。選ばれたＱｏＳは、ユーザコンテクストに適合すべきであり、課金レートは、ユーザに対して許容できるようにすべきである。そこで、異なるＱｏＳは、ユーザの一日の異なる時間で異なる優先度を有する。サービス接続（ＧＳＭセルネット、ＳＭＳ、又はＲＦ／ＩＲリンク、ブルートゥース上でさえもなし得る）を動作させるためのポインタ５１２を使用する前に、クラス５０６（及びおそらくさらに細目、例えばＱｏＳ）は、ユーザプロファイルの現在のサブセットと比較される。サブセットは、デバイス１０８（例えば、テーブルとして）又はユーザにより所有された（又はエンドユーザに対するビーコンインフラプロバイダにより提供された）ウェブサイト上に遠隔に蓄積され得る。サブセットに対して相互に関連するクラス５０６及びさらなるサービス細目５０８の第１ステージは、好ましくは自動的である。これらは、ユーザがそのサービスへのリンクの存在を移動体デバイス１０８により知らされる前でさえも起こり得る。例えば、５０６により特定されたクラスのサービスがデバイス１０８に保持されたクラスのテーブルと一致するならば、ユーザは、デバイス１０８で単一のキープレスでサービスポインタ５１２を知らされ、動作させ得る。あるいは、デバイス１０８は、まず、サービスの細目及びサブセット間のより正確な相互関係のために遠隔のアプリケーションサーバ４２０に対する要求を自動的に出す（例えばＳＭＳを介して）。サービスがユーザの現在の関心及び目的と一致すると思われるならば、肯定的な回答がデバイス１０８に戻され、そのときのみサービスが存在するデバイス１０８により肯定的な回答がユーザに知らされる。その後、ユーザは、そのポインタ５１２を介して自動的にサービスを動作させる選択を有する。ビーコンは、サービススロット５００のような複数のサービススロットを有するフレームを送信し得る。このようなフレームは、ビーコンインフラサーバ４１０に予約された種々のローカルサービスに対する複数の接続ブリッジを提供する。
【００３８】
図６は、娯楽コンテクストにおける本発明のシステム６００を示す図である。システム６００は、テレビ、ＣＤプレーヤー、ＭＰ３ジュークボックス、ゲームプラットフォームなどのようなコンシューマエレクトロニクス（ＣＥ）システムを有する。システム１０２は、プレイされ又は蓄積されるための情報コンテンツ６０２を受信する。情報コンテンツ６０２は、ＣＤ、ＤＶＤ、ＨＤＤ又は固体状態メモリのような物理担体上に、又は放送（地上、ケーブル、若しくは衛星）を介して、又はインターネットや他のデータネットワークを介して、システム１０２に供給され得る。この例では、情報コンテンツ６０２は、システム１０２に、移動体デバイス１０８に対するローカル送信用のフレーム６０４を生成することを可能にするデータにより達成される。サービスクラス５０６、サービス細目５０８、及びポインタ５１２を表すデータは、物理担体にそのコンテンツが蓄積され若しくはそのコンテンツと共に供給され、又はＴＶストリーム、ＶＢＩ、帯域外チャネルなどに埋め込まれ得る。システム１０２は、それからそのビーコン１０４から移動体デバイス１０８へのＲＦ／ＩＲ信号１０６に含めるためのコンテンツからこの情報を取り除く。この方法において、そのコンテンツ自身は、その自分の関連付けられたサービスに対するポインタを簡易化し、又は再プログラムすることができる。ブルートゥースブリッジにより簡易化されたこれらのサービスは、例えば放送テレビチャネルやＭＰ３ダウンロードチャネルなどの主な娯楽配信のために使用されるものとは別のネットワークを介して行う。
【００３９】
移動体デバイスメーカーは、そのメーカーにより選ばれたサービスプロバイダとの所定の提携を有するサービス提携メカニズムを提供し得る。ユーザは、便利なものとして、又は補助デバイス、無料接続時間などのコマーシャルオファーの代わりにビルトインサービス関係を受け入れても良い。デバイスメーカーは、ビジネスモデルにおけるコストを相殺するための方法や、サービスプロバイダにより援助されたビジネスを行う方法として、あらかじめ作られたサービス検索を含めるために、外部のサービスプロバイダ６０２と契約を結ぶことを選んでも良い。
【００４０】
それぞれのサービス提携、例えば検索テーブル入会は、上述した方法においてユーザやサービスプロバイダに提供され得る。例えば本及び音楽用のオンラインストアは、これらのアイテムに対するデフォルトサービスとして、その提携、例えばＵＲＬ、無料電話番号（例えば１−８００−…）、ｅメールアドレスなどを置く代わりに移動体デバイスのコストを援助することを選択し得る。移動体デバイスは、行動タイプに基づくサービス検索テーブルを一つよりも多く含んでも良い。例えば、ユーザは、ユーザの移動体電話を「ショッピング」モードから「チャット」モードに切り替える。この設定は、「ショッピング」検索テーブルの代わりに「チャット」検索テーブルを用いるように電話を管理することである。この行動は、本や映画に関するチャットセッションの開始を結果として生じる。
【００４１】
ユーザは、移動体デバイスの検索テーブルを編集することにより、ＰＣや遠隔のインターネットサーバのような他のデバイスから検索テーブルをダウンロードすることにより、行動タイプ提携を行うことができる。サービスプロバイダは、サービス検索のセットアップを簡易化するため、それらの顧客に対するそのようなプロファイルを生成することができる。
【００４２】
特定の場所におけるビーコンにより報知された簡易化信号は、異なる量のその場所のサービスディレクトリの情報及び入手できる個々のサービスの細目を運ぶことができる。例えば、簡易化信号は、ビーコンのＩＤのみを運んでも良い。移動体は、始めに、その場所のサービスディレクトリ及びそれらの細目を見つけるために、ＩＤに基づくあらかじめ設定されたＵＲＬ又は課金無料番号にアクセスする。その後、移動体は、ユーザのプロファイルに対するサービスを照会する。もしユーザがそう思うのであれば、どんな一致でも、可能なアナウンスとしてユーザに対して、ユーザにサービスを動作させるためのポインタ（例えば、ＵＲＬや課金無料電話番号）と共に、例えばＷＡＰやＳＭＳを介して移動体に戻される。
【００４３】
他の実施の形態において、簡易化信号は、また、その場所のサービスディレクトリを検索するためにＵＲＬを運ぶ。そのとき、これは、あらかじめ設定されたＵＲＬでなく、動的なＵＲＬである。
【００４４】
さらに他の実施の形態において、簡易化信号それ自身は、その場所のサービスディレクトリ及び細目を検索するためのＵＲＬに対するポインタを運ぶ。移動体デバイスの粗いユーザプロファイルと一致するサービスのサブセットは、その後、十分なユーザプロファイルに対する十分な細目におけるサービスを自動的にチェックするためにアクセスされる。その後、どのような一致でも、ユーザへのアナウンスのために移動体デバイスに戻される。すべての先行する作業は、前もってユーザから隠される。
【００４５】
さらに他の実施の形態において、簡易化信号は、サービス細目のトップレベルの記述を運び、移動体は、テーブル又は圧縮されたＸＭＬフォームで保持された完全なプロファイルを蓄積することができる。
【００４６】
さらなる実施の形態において、簡易化信号は、マッチングプロセスに十分なユーザプロファイルを用いて行わせるために、サービスについての十分に細目な情報を運ぶ。そのプロセスは、移動体デバイスで行われ、インターネットで蓄積された十分なプロファイルに対してマッチングを行うためにウェブサイトに書き換えることを要求する。その細目は、ユーザに対するサービスの存在をアナウンスするかどうかを決定するために十分に足りる。
【００４７】
移動体電話、ページャ、ＰＤＡなどを含む多くのパーソナル電子デバイスは、電気的に蓄積されたパラメータを有する個人的設定やデバイス内に設定されたプロファイルを有する。これは、リンガー設定、アドレスブック入力、及びＷＡＰブラウザブックマークを含み得る。さらに、プロファイルセットは、クレジットカード情報のような他の個人設定を含んでも良く、又はＧＳＭ移動体電話において使用されるＳＩＭ（Ｓｕｂｓｃｒｉｂｅｒ Ｉｄｅｎｔｉｆｙ Ｍｏｄｕｌｅ）カードを含むことさえも可能とする。
【００４８】
移動体電話の場合、パラメータの範囲は、無線付加価値サービスでどのようにデバイスが対話するかを決定することを蓄積され得る。例えば、どのような種類のサービスをユーザがアクセスできるか、ユーザが作業であるときにいくつかの種類のコール又はメッセージを拒絶するという設定を決定するプロファイルが蓄積される。
【００４９】
通常、プロファイル設定は、デバイスのメモリに、ＧＳＭの場合には、取り外し可能なＳＩＭカードの一部であるメモリに蓄積され得る。その設定は、ユーザインターフェースからデバイス上で変更され得るか、又はあらかじめ設定される。例としては、ＳＩＭカードは、あらかじめ設定された情報（自分の電話番号）及び変更可能な情報（電話帳の他の番号）の両方を含み得る。
【００５０】
デバイスのユーザは、典型的にいくつかのセットのプロファイル情報にアクセスすることを欲する。おそらく、ユーザの行動にしたがって設定を変更する。例えば、一つのグループの設定は、ユーザが仕事中であるとき（例えば、ビジネス電話帳の入力を含む、友人からのメッセージを拒絶する）、及びユーザが仕事から離れたとき（例えば、友人の電話帳の入力を変える、友人からのメッセージを受け入れる）に選択され得る。
【００５１】
ユーザは、ユーザインターフェースメニューからプロファイル設定を選択する、ＰＣから新しい設定をダウンロードする、又は移動体電話におけるＳＩＭカードをすっかり変えても良い。あるいは、ユーザは、パーソナル電子デバイスから起こされるが、セントラルデータベースやサーバで完全に又は部分的に蓄積され及び処理された選択又はプロファイルにおける変更を開始し得る。
【００５２】
パーソナル電子デバイスがより複雑になり、ユーザがアクセスするサービス及びアプリケーションがより複雑になり、広く入手できるようになると、簡単なプロファイル設定への要求が増加する。ユーザは、種々のあらかじめ設定され、しかし複雑であるプロファイルから選択することを欲し得る。
【００５３】
ユーザは、多くのパーソナルな設定の間で、迅速に明白に入れ替えることを欲し得る。ユーザは、それらのＳＩＭカードを介して又は設定フェーズ中にプロファイル設定を入れ替え又は取り替えることを欲し得る。以下に、これがユーザに対して両方容易であること及び現在の形態又はプロファイルセットが明白に確認されることをどのように確保するかを説明する。
【００５４】
電子設定は、プロダクトの明らかな物理形態にリンクされ得る。例えば、これは、取り外し可能なカバー、ジャケット、アンテナ、バッテリー又は他の明らかな物理部品の範囲を通してなり得る。それらは、所与の物理形態とプロファイルやユーザ選択のセットとをユーザに迅速に関連させるために、色、テクスチャ、形、テキスト、又はグラフィックスを用いる。物理形態が変更されると、例えば、ジャケットになると、これは、次々に、個性的なパーソナルな選択のセットやプロファイルの設定を開始する。これは、多くの方法で達成される。すべての場合において、形態は、いずれもデバイスでの選択のセットやローカルなプロファイルの選択をトリガとし、遠隔に蓄積されたセットから選択されるべきものを識別する。それは、インターネットや無線電話ネットワークのようなネットワークを介してアクセスされ得る。あるいは、物理形態は、設定又はどの好みのセットやプロファイルを選択するかの指示を実際に蓄積する、例えば、取り外し可能なＳＩＭカードやメモリカードを含む。メモリカード又はＳＩＭカードは、電気的接触を介して接続される。さらに、メモリが完全なＳＩＭカードであるならば、種々のユーザが同じ移動体電話を容易に共有することを許し、どのユーザが電話を現在設定しているかについて、明白な物理形態により確実になる。ＳＩＭカードは、ポータルのための一つ又はそれ以上のプロファイル１１０及び／又は行動テーブルを含んでも良い。可能性のある実施は、コンテクスト毎に一つのＳＩＭカードを持つことである。それらのカードはユーザにより所有される。ＳＩＭカードが慣習的に運ぶ電話のＩＤ及び周期的にコールされる番号は、電話会社の特性を持っていても良い。
【００５５】
あるいは又はさらに、例えば、メモリ又は電子接触を通してデバイスに接続された他の簡単な電子回路が取り付けられたときに、物理的形態は、それを同定するための他の電子コンポーネントを含み、及びパーソナル電子デバイス内の設定を選択する。又は、その形態は、例えば、デバイスのセンサにより読まれた光学的コード又は磁気的な相互関係を介して、などの非電子的接続を用いて取り付けられることでデバイスを独自に同定し得る。
【００５６】
移動体プロファイル又はポータルによるホーム環境のリンクが新しいアプリケーション及び機能性を導くことができる点に注意すべきである。移動体電話で使用されるユーザプロファイル、行動テーブル、又はポータル設定は、それらのデバイスを操作するとき、例えば、ユーザの選択及び好ましいサービスプロバイダをあらかじめ設定するために、ホーム又はオフィスで他のＣＥデバイスに送られ得る。この転送は、ＣＥデバイスにおけるＳＩＭカードの挿入、ウェブリンク、ＩＲ若しくはＲＦリンク上を介して達成され得る。例えば、ＳＴＢに対するプロファイルのブルートゥースダウンロードである。これは、ＳＩＭカードが多数のデバイス間でデータを転送するために使用され得ることを意味する。代替案として、１９９９年１２月１６日に出願された米国出願番号０９／４６４，８６６（事件番号ＰＨＡ ２３，８８４）のＳＨＡＲＥＤ ＡＤＤＲＥＳＳ−ＤＡＴＡ ＳＥＲＶＩＣＥ ＦＯＲ ＰＥＲＳＯＮＡＬ ＣＥ ＥＱＵＩＰＭＥＮＴ （Ｒｉｋ Ｓａｇａｒ）を参照する。この内容は参照としてここに含めておく。この文献は、ユーザに、インターネットのサーバーにとって、最初の通信装置で最初の接点データ・ベースから情報をアップロードするのを可能にすることに関連がある。サーバは、アップロードされた情報を処理し、第２の通信装置の第２のコンタクトデータベースのためのレコードのフォーマットを抽出又は変換する。
【図面の簡単な説明】
【図１】図１は本発明のシステムのブロック図である。
【図２】図２はこのシステムの操作態様を示す図である。
【図３】図３はデータの処理における種々のステージを示す図である。
【図４】図４は複数のビーコンを有するシステムの図である。
【図５】図５は簡易化信号におけるタイムスロットを示す図である。
【図６】図６は娯楽コンテクストにおいて、本発明におけるシステムを示す図である。
【図４】
2004506358.tif 000003
【図６】
2004506358.tif 000004
【国際公開パンフレット】
2004506358.tif 000005
2004506358.tif 000006
2004506358.tif 000007
2004506358.tif 000008
2004506358.tif 000009
2004506358.tif 000010
2004506358.tif 000011
2004506358.tif 000012
2004506358.tif 000013
2004506358.tif 000014
2004506358.tif 000015
2004506358.tif 000016
2004506358.tif 000017
2004506358.tif 000018
2004506358.tif 000019
2004506358.tif 000020
2004506358.tif 000021
2004506358.tif 000022
2004506358.tif 000023
2004506358.tif 000024
2004506358.tif 000025
2004506358.tif 000026
2004506358.tif 000027
【国際公開パンフレット（コレクトバージョン）】
2004506358.tif 000028
【国際調査報告】
2004506358.tif 000029
2004506358.tif 000030